(57)【特許請求の範囲】
【請求項１】
耐圧防爆構造の容器に電気機器の信号線が貫通する引込孔を構成する引込器具の耐圧防爆構造において、
前記容器に形成されたネジ孔に一端側から螺合する中空円筒形状のニップルと、信号線に外嵌してニップルの内部にニップルの他端側から嵌入する中空円筒形状のソケットと、ニップルの内部にニップルの他端側から螺合してニップルの内部における段部にソケットのフランジ部が当接するようにソケットを軸方向に押圧する移動規制部材と、を備え、ソケットに信号線を挟持するクランプ板の取付部を形成するとともに、信号線に外嵌したソケットの内部にコンパウンドを充填することを特徴とする引込器具の耐圧防爆構造。
【発明の詳細な説明】
【０００１】
【発明の属する技術分野】
この発明は、耐圧防爆構造の容器に収納された電気機器に接続される光ファイバ等の信号線を、容器内に引き込む際に用いられる引込器具に関し、特に、容器の耐圧防爆構造を維持するための引込器具の耐圧防爆構造に関する。
【０００２】
【従来の技術】
誘爆雰囲気状態にある危険地域において電気機器を使用する場合、電気機器において生じた火花の引火による爆発事故を防止するため、電気機器を収納する耐圧防爆構造の容器が用いられる。耐圧防爆構造の容器内に電気機器を収納することにより、電気機器において生じた火花の引火による爆発は容器内部に止められ、外部において大規模な爆発事故を生じることがない。
【０００３】
このような耐圧防爆構造の容器内に収納された電気機器は、容器外部に設けられた装置に信号線を介して接続される場合がある。この場合には、電気機器と外部装置とを接続する信号線を容器内に引き込む必要があるが、容器の耐圧防爆機能を維持するためには、容器における信号線の引込部分も耐圧防爆構造とし、この部分における火炎の逸走を防止しなければならない。
【０００４】
そこで、従来では、図５に示すように、容器５１の一部に充填室５２を備えた引込孔５３を形成し、この充填室５２及び引込孔５３に信号線５４を挿入した後に、充填室５２にエポキシ樹脂等の固着用材料を充填し、引込孔５３を閉塞する耐圧固着式引込方式等の構造とすることが、労働省産業安全研究所刊行の「工場電気設備防爆指針」において義務付けられている。
【０００５】
また、耐圧固着式引込方式としては、図６に示すように、充填室６３及び引込孔６４を設けた引込器具６５を容器６１に形成された取付孔６２に装着し、充填室６３及び引込孔６４に信号線６６を挿入した後に、充填室６３にエポキシ樹脂等の固着用材料を充填する方式もある。この方式によれば、断線を生じた場合等において信号線６６を交換する際に、引込器具６５のみを交換すれば良く、容器６１全体を交換する必要がない。
【０００６】
【発明が解決しようとする課題】
しかしながら、図５に示した従来の引込器具の耐圧防爆構造では、信号線を交換する際には、耐圧防爆構造の容器を信号線とともに交換する必要があり、また、図６に示した構成でも、少なくとも引込器具全体を信号線とともに交換する必要があり、信号線の交換時における作業コストが上昇するとともに、容器から引込器具を取り外さなければならず、作業が煩雑化する問題があった。
【０００７】
この発明の目的は、信号線の交換に際して信号線とともに引込器具の構成部品の一部のみを交換するだけでよいとともに、容器から部品を取り外す必要がなく、信号線の交換時における作業コストの低廉化、及び、作業の簡略化を実現できる引込器具の耐圧防爆構造を提供することにある。
【０００８】
【課題を解決するための手段】
この発明は、耐圧防爆構造の容器に電気機器の信号線が貫通する引込孔を構成する引込器具の耐圧防爆構造において、
前記容器に形成されたネジ孔に一端側から螺合する中空円筒形状のニップルと、信号線に外嵌してニップルの内部にニップルの他端側から嵌入する中空円筒形状のソケットと、ニップルの内部にニップルの他端側から螺合してニップルの内部における段部にソケットのフランジ部が当接するようにソケットを軸方向に押圧する移動規制部材と、を備え、ソケットに信号線を挟持するクランプ板の取付部を形成するとともに、信号線に外嵌したソケットの内部にコンパウンドを充填することを特徴とする。
【０００９】
【発明の実施の形態】
図１は、この発明の実施形態の一例である引込器具の耐圧防爆構造を適用した電気機器に対する信号線の接続状態を示す図である。耐圧防爆構造の容器２１に収納された電気機器２２は、信号線である光ファイバ２０を介して図外の外部装置に接続される。容器２１には、後述する構成の耐圧防爆構造の引込器具１が装着されており、この引込器具１を介して光ファイバ２０が容器２１の内部に引き込まれる。また、光ファイバ２０の一部は、容器２１の外部において、簡易型の保護容器２３内でコネクタ２４を介して分離自在にされている。
【００１０】
このように、保護容器２３内でコネクタ２４を介して光ファイバ２０を分離自在に接続することにより、防爆機能に関係のない部分で光ファイバ２０の交換作業を容易に行うことができる。
【００１１】
図２は、上記耐圧防爆構造を適用した引込器具の側面断面図である。また、図３は、同引込器具のソケット部の構成の詳細を示す側面断面図である。引込器具１は、ニップル２、ソケット３、ソケット押圧部材６、リング７及びナット８等により構成されている。これらの構成部品は、略中空円筒形状を基本形状としている。ニップル２の外周面の一端側には、ネジ部２ａが形成されている。このネジ部２ａは、容器２１の側面に形成されたネジ孔２１ａにリングパッキン１２を介して容器２１の外部から螺合する。容器２１内に突出したネジ部２ａには、容器２１の内部からロックナット１１が螺合する。これによって、容器２１に対するニップル２の取付状態が堅牢に維持されるとともに、ニップル２と容器２１との間にリングパッキン１２が介在することにより、容器２１内の防水性が保たれる。
【００１２】
ニップル２は、内部にソケット３を収納する。このソケット３は、図３に示すように、円筒形状の充填部３ａ、及び、円柱形状の一部を切り欠いた取付部３ｂを備えている。ソケット３の取付部３ｂにおいて、固定ネジ５を介して２枚のクランプ板４の間に光ファイバ２０の一部が固定される。また、光ファイバ２０が貫通した充填室３ｃにはパッキン９が挿入されるとともに、この発明のコンパウンドであるエポキシ樹脂１０が充填される。コンパウンドとしては、エポキシ樹脂の他にポリエステル樹脂等の熱硬化性樹脂を用いることができる。この充填室３ｃには段部３ｄが形成されており、固化したエポキシ樹脂１０が充填室３ｃから光ファイバ２０の軸方向に容易に抜き取ることができないようにされている。この充填室３ｃの内部において光ファイバ２０の一部はカバーを剥がされ、エポキシ樹脂１０によって固化されている。
【００１３】
ニップル２の内周面の他端側には、ネジ部２ｂが形成されている。このネジ部２ｂにソケット押圧部材６が螺合する。ソケット押圧部材６は、ネジ部２ｂに螺合しつつ、ニップル２内に挿入されたソケット３をニップル２の一端側、即ち、容器２１側に押圧する。ソケット３の取付部３ｂの外径は充填部３ａの外径よりも大きくされており、充填部３ａと取付部３ｂとの間にフランジ部３ｅが形成されている。一方、ニップル２の内周面には、小径部２ｃ及び大径部２ｄとの間に段部２ｅが形成されている。ニップル２の小径部２ｃの内径はソケット３の充填部３ａの外径に略等しく、大径部２ｄの内径は取付部３ｂの外径に略等しくされている。
【００１４】
したがって、ソケット押圧部材６によりニップル２の一端側に押圧されたソケット３は、フランジ部３ｅが段部２ｅに当接する位置に停止し、このとき、少なくともニップル２の小径部２ｃとソケット３の充填部３ａとの間、及び、ニップル２の段部２ｅとソケット３のフランジ部３ｅとの間には、火炎が逸走する間隙はない。また、光ファイバ２０とソケット３の充填室３ｃの内周面との間には、前述のようにエポキシ樹脂１０が充填されるため、この間にも火炎が逸走する間隙はない。このため、誘爆雰囲気状態の危険地域に電気機器を収納した容器２１を設置した場合に、電気機器において生じた火花の引火による爆発の火炎が外部に逸走することがなく、容器２１の外部において大規模な爆発を生じることはない。
【００１５】
ニップル２の他端の外周面には、ネジ部２ｆが形成されており、さらに、内周面に貫通する半径方向のネジ孔２ｇが形成されている。このネジ孔２ｇには止めネジ１４が螺合する。止めネジ１４はソケット押圧部材６に当接し、ニップル２のネジ部２ｂに対するソケット押圧部材６の螺合状態が緩まないように規制する。また、ネジ部２ｆには、ナット８の一端側が螺合する。ナット８には、ナット８の他端側から一部を露出するリング７が挿入されている。このリング７の内周面に形成されたネジ部７ａには、図外の管材が配管される。また、ニップル２とナット８との間、及び、ナット８とリング７との間のそれぞれには、Ｏリング１３及び１５が挿入されており、ニップル２及びリング７とナット８との間の防水性が保たれる。
【００１６】
図４は、同引込器具の組立図である。引込器具１を組み立てる際には、先ず、ニップル２をリングパッキン１２を介して図外の容器２１に取り付けるとともに、ニップル２及びリング７のそれぞれにＯリング１３及び１５を装着した後、光ファイバ２０を、ナット８、リング７、ソケット押圧部材６、ソケット３及びニップル２にこの順に貫通させる。次いで、ソケット３の取付部３ｂにネジ５を介して取り付けられる２枚のクランプ板４の間に光ファイバ２０の一部を挟持する。この状態でソケット３の充填室３ｃにエポキシ樹脂１０を充填する。これよって、光ファイバ２０の一部にソケット３が固定される。
【００１７】
このソケット３をニップル２内に挿入した後、ソケット押圧部材６をニップル２のネジ部２ｂに締め込み、ソケット３をニップル２内においてフランジ部３ｅが段部２ｅに当接する位置まで押し込む。さらに、ネジ孔２ｇに止めネジ１４を螺合してソケット押圧部材６の緩みを防止し、ニップル２内におけるソケット３の移動を規制する。最後に、リング７が挿入されたナット８をニップル２のネジ部２ｆに締め込む。
【００１８】
光ファイバ２０が断線を生じた場合等において、この光ファイバ２０を交換する場合は、ナット８をニップル２のネジ部２ｆから取り外すとともに、ニップル２のネジ孔２ｇから止めネジ１４を取り外し、さらに、ソケット押圧部材６をニップル２のネジ部２ｂから取り外す。これによって、容器２１内の電気機器から分離された光ファイバ２０をソケット３とともにニップル２の他端側に引き出すことができる。このようしてニップル２の他端側に引き出した光ファイバ２０をソケット３の取付部３ｂ側に露出した部分において切断することにより、破棄すべき光ファイバ２０からソケット押圧部材６、リング７及びナット８を取り外すことができる。
【００１９】
以上の構成により、引込器具１を構成する部品のうち、ソケット３のみがエポキシ樹脂１０により光ファイバ２０に固着される。したがって、光ファイバ２０の交換に際して、引込器具１を構成する部品のうち、ロックナット１１、リングパッキン１２及びＯリング１３を含むニップル２、クランプ板４、ネジ５、ソケット押圧部材６、Ｏリング１４含むリング７及びナット８は、新たな部品に交換する必要はなく、破棄すべき光ファイバ２０に固着されたソケット３のみを新たな部品に交換すればよい。また、ニップル２を容器２１から取り外す必要もない。
【００２０】
【発明の効果】
この発明によれば、信号線の交換時に引込器具の構成部品の１つのみを交換すればよく、引込器具全体、又は、防爆構造の容器全体を交換する必要がないため、危険地域において電気機器を収納した容器に用いられる信号線の引込器具に要求される防爆機能を確保しつつ、信号線の交換時における作業コストの低廉化を実現することができる。また、信号線の交換時に容器に取付られた部品を容器から取り外す必要がなく、信号線の交換作業を簡略化することができる。
【図面の簡単な説明】
【図１】この発明の実施形態の一例である引込器具の耐圧防爆構造を適用した電気機器に対する信号線の接続状態を示す図である。
【図２】上記耐圧防爆構造を適用した引込器具の側面断面図である。
【図３】同引込器具のソケット部の構成の詳細を示す側面断面図である。
【図４】同引込器具の組立図である。
【図５】従来の耐圧防爆構造の容器に用いられる信号線の引込器具を示す図である。
【図６】同従来の耐圧防爆構造の容器に用いられる信号線の引込器具を示す図である。
【符号の説明】
１−引込器具
２−ニップル
３−ソケット
３ａ−充填部
３ｃ−充填室
４−クランプ板
５−ネジ
６−ソケット押圧部材
７−リング
８−ナット
９−パッキン
１０−エポキシ樹脂
１４−止めネジ
２０−光ファイバ
【図１】
0003599884.tif 000002
【図２】
0003599884.tif 000003
【図３】
0003599884.tif 000004
【図４】
0003599884.tif 000005
【図５】
0003599884.tif 000006
【図６】
0003599884.tif 000007